(57)【要約】    【課題】被包装物を保持する段ボール製の保持材で外箱を均一に補強して、外箱の強度を全体として高めることのできる包装装置の提供。    【解決手段】被包装物２を収納する直方体状の外箱３と、被包装物２を保持する保持材４とを備える。保持材４を底部７の外縁に舌片８を立ち上げた構造とする。保持材４を段ボール製のブランクを折り曲げて形成する。底部７に被包装物２を載置する。被包装物２を保持する保持材４を外箱３に収納して、舌片８で外箱３のコーナー部分を内側から覆い隠す。舌片８が外箱３を補強する。ブランクを構成する段ボールの段目１１を舌片８の高さ方向に対して斜め方向に設定しておく。全ての舌片８で、段目１１が斜めに設定される。【選択図】  図１
2009143579.tif 000002
【特許請求の範囲】
【請求項１】
被包装物を収納する外箱と、該外箱の内部で被包装物を保持する保持材とを備え、前記保持材は、段ボール製のブランクを折り曲げることにより、被包装物を載置する底部の外縁に、被包装物の移動を阻止しつつ外箱を補強する舌片を立ち上げてなり、前記ブランクを構成する段ボールの段目が舌片の高さ方向に対して斜め方向に設定されたことを特徴とする包装装置。
【請求項２】
前記外箱が直方体状とされ、前記保持材の舌片が外箱のコーナー部分を内側から覆い隠すよう立ち上げられたことを特徴とする請求項１に記載の包装装置。
【請求項３】
前記外箱がその天面と被包装物と間に隙間が空く大きさに設定され、前記保持材の底部の中央に、被包装物を留めるための留め穴が形成されたことを特徴とする請求項１又は２に記載の包装装置。
【発明の詳細な説明】
【技術分野】
【０００１】
本発明は、例えば丸型の照明器具を包装するための包装装置に関するものである。
【背景技術】
【０００２】
一般に、丸型の照明器具を包装する際、その照明器具を外箱に収納すると共に、外箱の内部で照明器具が動かないよう段ボール製の保持材で保持している。例えば、特許文献１が開示する包装装置は、図５に示すように、段ボール製の収納補助材１０１の中央に設けた台座部１０２に器具本体１０３を取り付け、さらに、収納補助材１０１の一対の側縁を折り曲げて形成した側板部１０４を外箱１０５の内側面に密接させることにより、器具本体１０３を外箱１０５の内部に安定して収納している。
【０００３】
さらに、特許文献１の収納補助材１０１のように段ボール製の保持材の一対の側縁を折り曲げるだけでなく、保持材の四方の側縁を折り曲げて立ち上げることにより、立ち上げた側縁で外箱の四方の各面を上下方向に補強する効果が期待できる。
【特許文献１】特開２００２−１６６９７２号公報（段落番号００２５、００２６、図１）
【発明の開示】
【発明が解決しようとする課題】
【０００４】
ところが、保持材を構成する段ボールは、その段目の縦方向に作用する力に対しては十分な強度を発揮するものの、段目の横方向に作用する力に対しては、十分な強度が得られない。そのため、段ボール製のブランクの四方の外縁に舌片を形成し、この舌片を立ち上げて外箱の四方の各面を補強しようとしても、前後の外縁及び左右の外縁のうちのいずれかの舌片は、横方向に段目が設定されて強度が低下することから、外箱を十分に補強できないおそれがある。
【０００５】
本発明は、被包装物を保持する段ボール製の保持材で外箱を均一に補強して、外箱の強度を全体として高めることのできる包装装置の提供を目的とする。
【課題を解決するための手段】
【０００６】
上記目的を達成するため、本発明に係る包装装置は、被包装物を収納する外箱と、この外箱の内部で被包装物を保持する保持材とを備え、保持材を、段ボール製のブランクを折り曲げることにより、被包装物を載置する底部の外縁に、被包装物の移動を阻止しつつ外箱を補強する舌片を立ち上げた構造とし、ブランクを構成する段ボールの段目を舌片の高さ方向に対して斜め方向に設定したものである。
【０００７】
上記構成によれば、保持材を構成する段ボールの段目を舌片の高さ方向に対して斜め方向に設定するので、段目が縦方向の舌片と段目が横方向の舌片とを有する従来の保持材とは異なり、四方の全ての舌片の段目を斜めにして、いずれの舌片も同程度かつ十分な強度に設定することができる。さらに、舌片の高さを外箱の内面側の高さと同程度に設定することにより、外箱を効果的に補強することができる。これにより、段目の縦横による舌片の強度の差がない分、外箱を均一に補強して全体としての強度を高め、被包装物に外圧がかかるのを防止することができる。
【０００８】
ここで、段目とは、段ボールを構成する波形の中芯の山部又は谷部がなす筋のことをいう。また、舌片は、互いに直交又は傾斜するよう保持材の底部外縁の複数箇所に設ければよく、底部の四方の外縁に形成するだけでなく、底部の二方あるいは三方の外縁に形成するなどしたものであってもよい。
【０００９】
また、外箱を直方体状とし、保持材の舌片を外箱のコーナー部分を内側から覆い隠すよう立ち上げれば、外箱内の空間のうち、外箱の各側面の中央部よりも突出するコーナー部分を除くようにして、被収容物を略円形状に取り囲むことができるので、丸型の照明器具などを安定して包装することができる。しかも、舌片を外箱の側面に重ねることなく傾斜させる分、外箱の側面と舌片とが互いに補強しあって、より強度を高めることができ、さらに、外箱コーナーと舌片との間の隙間が衝撃を吸収して被収容物の破損を防止することができる。
【００１０】
また、外箱をその天面と被包装物と間に隙間が空く大きさに設定し、保持材の底部の中央に、被包装物を留めるための留め穴を形成するのがよい。特に、舌片の高さを外箱の内面側の高さと同程度に設定することにより、被包装物を包装して外箱の天地を逆にしたとき、被包装物が外箱の天面との間に隙間を空けつつ保持材に吊り下げられた状態になるので、天面を下にして落下させたとしても、被包装物の破損を防止することができる。
【発明の効果】
【００１１】
以上の説明から明らかな通り、本発明によると、被包装物を保持する保持材の底部外縁に舌片を立ち上げて外箱を補強すると共に、保持材を構成する段ボールの段目を舌片の高さ方向に対して斜め方向に設定するようにしている。これにより、四方の全ての舌片をその段目を斜めにして同程度かつ十分な強度に設定することができ、外箱を均一に補強して全体としての強度を高め、被包装物に外圧がかかるのを確実に防止することができる。
【発明を実施するための最良の形態】
【００１２】
以下、本発明に係る包装装置を実施するための最良の形態について、図面を用いて説明する。図１は本発明に係る包装装置の斜視図である。図１において、外箱は、右半分を破断させて内部の保持材を露出させている。図２は被包装物を包装した包装装置の断面図、図３は保持材のブランクを示す図である。図４は段ボール原紙から切り出すブランクの配置を示す図で、（ａ）は本発明に係る包装装置の保持材のブランクの配置を示し、（ｂ）は従来の保持材のブランクの配置を示す。
【００１３】
包装装置１は、丸型の照明器具などの被包装物２を包装するためのものであり、被包装物２を収納する外箱３と、外箱３の内部で被包装物２が動かないよう保持する保持材４とを備えている。
【００１４】
外箱３は、段ボール製で直方体状とされ、その天面と収納した被包装物２と間に隙間３ａが空く大きさに設定されている。外箱３の側面には、保持材４で保持した被包装物２を出し入れする開口５が設けられ、この開口５が蓋部６で開閉自在に塞がれる。
【００１５】
保持材４は、八角形の底部７と、その外縁のうちの四方から立ち上げられた舌片８とからなり、段ボール製のブランク１０を折り曲げて形成される。ブランク１０を構成する段ボールの段目１１は、底部７の外縁のうちの舌片８間の辺と平行に又は直交するよう設定され、これにより、段目１１が舌片８の高さ方向に対して斜め方向に設定されて、四方の舌片８を同程度かつ十分な強度に設定する。
【００１６】
この保持材４は、底部７に被包装物２を載置して四方の舌片８で取り囲んだ状態で外箱３に収納され、その舌片８が、外箱３の内面側の高さと同程度の高さに設定されることにより、外箱３を上下方向に補強する。さらに、四方の舌片８で外箱３の各コーナー部分を内側から覆い隠すようにして、被包装物２を保持する保持材４を外箱３に収納することにより、外箱３のコーナー部分に衝撃を吸収可能な隙間３ｂを空けると共に、外箱３の側面と舌片８とを互いに傾斜させて補強し合うようにしている。
【００１７】
保持材４の底部７の中央には、留め穴９が形成され、底部７に載置した被包装物２の留め部２ａを留めるようになっている。なお、被包装物２が照明器具の場合、天井に吊り下げられる保持具を留め部２ａとして利用して、この留め部２ａとしての保持具を留め穴９に嵌合かつ係止するのがよい。
【００１８】
なお、ブランク１０を構成する段ボールは、その種類を限定されず、波形の中芯の片面にライナーを貼り付けた片面段ボール、波形の中芯の両面にライナーを貼り付けた両面段ボール、二層の中芯の間及び両面にライナーを貼り付けた複両面段ボール、及び、三層の中芯の間及び両面にライナーを貼り付けた複々両面段ボールのいずれをも使用することができる。
【００１９】
上記構成によれば、全ての舌片８について、その高さ方向に対して段目１１を斜めにすることができるので、四箇所の舌片８の全てを均一かつ十分な強度に設定することができ、この舌片８で外箱３を補強することにより、被包装物２に外圧がかかるのを防止することができる。しかも、外箱３のコーナー部分を内側から覆い隠すよう舌片８を配置するので、外箱３の側面と舌片８とが互いに傾斜して補強し合い、包装装置１の強度をより高めることができる。
【００２０】
また、外箱３のコーナー部分にできた隙間３ｂで、衝撃を吸収することができ、さらに、被包装物２を保持材４の底部７の留め穴９に留めると共に、外箱３の天面と被包装物２との間に隙間３ａを空けるので、包装装置１の天地を反対にして落下させた場合にも、被包装物２の破損を防止することができる。なお、包装装置１の強度は、例えば、１つの角、３つの稜、及び６つの面を１回ずつ下にして、合計１０回の落下テストを行い、それぞれ、破損の有無及び点灯の良否を調べることによって確認する。
【００２１】
さらに、包装装置１が外箱３と保持材４とからなることから、その部品点数が少なく、しかも、被包装物２を保持材４で保持して外箱３に入れるとき、外箱３の開口５の縁に沿うようにして、舌片８が自然に起き上がるので、包装する際の作業性がよい。
【００２２】
また、図４（ａ）に示すように、段目１１を舌片８の高さ方向に対して斜めに設定するので、段ボール原紙１２からブランク１０を切り出す際、底部７から突出する舌片８を対角線方向に配置することができ、その分、段ボール原紙１２の辺長（Ｌ１）を短くして面積を小さくすることができる。
【００２３】
つまり、通常の段ボール原紙１２は、その縦横と段目１１の方向とが一致しているので、段目１１と舌片８の高さ方向とが平行又は直交する場合、図４（ｂ）に示すように、舌片８が段ボール原紙１２の辺方向に突出して、その分、段ボール原紙１２の辺長（Ｌ２）が長くなって面積が大きくなる。これに対して、舌片８を段ボール原紙１２の対角線方向に配置することにより、段ボール原紙１２の面積を小さくすることができる。
【００２４】
なお、本発明は、上記の実施の形態に限定されるものではなく、本発明の範囲内において適宜変更を加えることができる。例えば、被包装物は、丸形の照明器具に限らず、角形の照明器具、あるいは照明器具以外のどのようなものであってもよい。また、外箱３は、直方体状に限らず、円柱状のものなど、どのような形状であってもよい。舌片８は、底部７の外縁の複数箇所に設ければよく、４箇所に限らず、２箇所、３箇所、あるいは５箇所以上に設けることもできる。
【図面の簡単な説明】
【００２５】
【図１】本発明に係る包装装置の斜視図
【図２】被包装物を包装した包装装置の断面図
【図３】保持材のブランクを示す図
【図４】段ボール原紙から切り出すブランクの配置を示す図で、（ａ）は本発明に係る包装装置の保持材のブランクの配置を示し、（ｂ）は従来の保持材のブランクの配置を示す
【図５】従来の包装装置の斜視図
【符号の説明】
【００２６】
１    包装装置
２    被包装物
２ａ  留め部
３    外箱
３ａ、３ｂ  隙間
４    保持材
５    開口
６    蓋部
７    底部
８    舌片
９    留め穴
１０  ブランク
１１  段目
１２  段ボール原紙
【図１】
2009143579.tif 000003
【図２】
2009143579.tif 000004
【図３】
2009143579.tif 000005
【図４】
2009143579.tif 000006
【図５】
2009143579.tif 000007